(57)【要約】      （修正有）【課題】ロープ収容装置とチェーン装置とを連動させる伝動ユニットを利用することにより、長丈の日除けの開閉及び日除けを巻取る場合でも、制御が更に向上する日除けを提供する。【解決手段】上レール１０と、下レール２０と、日除け本体３０と、ロープ収容装置４０と、チェーン装置５０と、を含む。ロープ収容装置４０は、上レール１０の内部に設けられて、互いに嵌合可能なケース及び蓋と、ケースの内部に設けられている環状突起体と、環状突起体の周面に収容されるロープ４４と、を含む。チェーン装置５０は、上レール１０の他側の開口１２に嵌合されており、互いに嵌合可能な第一ケース５１及び第二ケース５２と、第一ケース５１及び第二ケース５２の内部に枢着されている伝動ユニットと、伝動ユニットを駆動するチェーン５８と、第二ケース５２内に嵌合されておりチェーン５８が巻き付けられている回転体と、を有する。【選択図】図１
0003143950.tif 000002
【実用新案登録請求の範囲】
【請求項１】
上レール１０と、下レール２０と、日除け本体３０と、ロープ収容装置４０と、チェーン装置５０と、を含み、
前記上レール１０は、中空でレール形状を呈し、その両端に開口１１、１２がそれぞれ形成され、底端には、第一係止穴１４と、第二係止穴１５と、溝１６と、がそれぞれ設けられており、
前記下レール２０は、ガイド溝２１を有し、前記上レール１０と一定の距離だけ離間可能に、前記上レール１０の下方に設けられており、
前記日除け本体３０は、前記上レール１０と前記下レール２０との間に設けられて、日除け部材３１を有し、前記日除け部材３１は、上下端に第一嵌合片３２と第二嵌合片３３とがそれぞれ形成されており、前記第一嵌合片３２は前記上レール１０の前記溝１６に嵌め込まれ、前記第二嵌合片３３は前記下レール２０の前記ガイド溝２１に嵌め込まれることにより、前記上レール１０と前記下レール２０が連結されており、
前記ロープ収容装置４０は、前記上レール１０の内部に設けられて、互いに嵌合可能なケース４１及び蓋４２と、前記ケース４１の内部に設けられている環状突起体４３と、前記環状突起体４３の周面に収容されるロープ４４と、を含み、伝動軸４５によって両側が挿通されており、前記ロープ４４の一端には前記環状突起体４３に固定される係止部４４１が設けられ、底端には、前記ロープ４４が挿通するロープ貫入穴４１５が開設されており、前記第一係止穴１４と前記第二係止穴１５とに係止可能な弾性係り体４１４が延びており、該二つの前記弾性係り体４１４の間に前記ロープ貫入穴４１５が位置しており、
前記チェーン装置５０は、前記上レール１０の他側の前記開口１２に嵌合されており、互いに嵌合可能な第一ケース５１及び第二ケース５２と、前記第一ケース５１及び前記第二ケース５２の内部に枢着されている伝動ユニット５３と、を含み、前記伝動ユニット５３は、少なくとも、リング５３１と、前記リング５３１の内面の下半部に嵌合されており両端に互いに対応している第一凸部５４１及び第二凸部５４２がそれぞれ形成されている弾性子５４と、前記リング５３１の内面の上半部に嵌合されており前記弾性子５４の上に設けられている嵌合体５５と、一端が前記第一ケース５１の枢着体５７と嵌合している移動体５６と、前記第一ケース５１に嵌合されている前記枢着体５７と、前記伝動ユニット５３を駆動するチェーン５８と、前記第二ケース５２内に嵌合されており前記チェーン５８が巻き付けられている回転体５９と、を有すること
を特徴とする日除け。
【請求項２】
前記日除け部材３１は、巻上げブラインドの日除け本体でもいいし、それ以外の何れかの日除け本体でもよいことを特徴とする請求項１に記載の日除け。
【請求項３】
前記第一嵌合片３２と、前記第二嵌合片３３と、前記日除け本体３０とには、前記上レール１０の前記第一係止穴１４及び前記第二係止穴１５に対応している貫通孔３２１、３３１、３１１がそれぞれ開設されていることを特徴とする請求項１に記載の日除け。
【請求項４】
前記ケース４１の一側には収容空間４１０が形成されており、前記収容空間４１０は、底端面に第一貫通孔４１１が開設されており、内縁部分に嵌合溝４１２が開設されており、各隅に係止穴４１３がそれぞれ開設されていることを特徴とする請求項１に記載の日除け。
【請求項５】
前記蓋４２は、内縁部分に係止ブロック４２１が設けられており、各隅にピン４２２がそれぞれ設けられており、端面に第二貫通孔４２３が開設されていることを特徴とする請求項１に記載の日除け。
【請求項６】
環状突起体４３は、前記ケース４１の内部に設けられており、内側コラム４３１と外側コラム４３２とから構成され、前記内側コラム４３１の中央には枢着穴４３１１が開設されており、前記外側コラム４３２の外周面には係止溝４３２１が設けられていることを特徴とする請求項１に記載の日除け。
【請求項７】
前記上レール１０の内部の一側にあるロープ収容装置４０の両面は、軸穴４６１が開設された固定ブロック４６によって伝動軸４５に位置決められていることを特徴とする請求項１に記載の日除け。
【請求項８】
前記第一ケース５１の一側の内縁部分には、嵌合突起５１１と、貫通孔５１２と、が設けられており、且つ収容空間５１３及び嵌め穴５１３１が設けられているコラム部５１４が延びており、前記第一ケース５１の他側の内縁部分には、嵌合溝５１６の嵌合突起５１５が環設されていることを特徴とする、請求項１に記載の日除け。
【請求項９】
前記第二ケース５２の一側には収容部５２１が設けられており、前記収容部５２１の内部には、突起５２２と、リブ５２３と、が設けられており、前記収容部５２１には連接体５２４が設けられていることを特徴とする請求項１に記載の日除け。
【請求項１０】
前記第二ケース５２の前記収容部５２１には、ガイド溝５２０ａが斜めに設けられていることを特徴とする請求項９に記載の日除け。
【請求項１１】
前記移動体５６の一端にはロッド形状突起５６１が設けられており、前記ロッド形状突起５６１は、内部に第一軸穴５６２が開設されており、末端に円弧形状突起５６３が延びており、前記円弧形状突起５６３の両端には平面５６４がそれぞれ形成されていることを特徴とする請求項１に記載の日除け。
【請求項１２】
前記枢着体５７の一側面には、環状突起５７１と、円弧形状突起５７２と、が設けられており、前記円弧形状突起５７２の他側面には第二軸穴５７３が開設されていることを特徴とする請求項１に記載の日除け。
【請求項１３】
前記回転体５９は、周縁に切欠５９１が複数設けられており、一側に方形ピン５９２が延びており、他側に凹部５９３が設けられていることを特徴とする請求項１に記載の日除け。
【請求項１４】
前記チェーン装置６０には、第一ケース６１及び第二ケース６２の一側に設けられた伝動組６３の側辺に枢着されているギアユニット６４が組み付けられていることを特徴とする請求項１に記載の日除け。
【請求項１５】
ギアユニット６４は、互いに噛み合っている、第一ギア６４１と、複数の第二ギア６４２と、を有し、前記複数の第二ギア６４２は、前記第一ケース６１の一側に設けられた連接部６５の条状突起付き穴６５１と同期して回転可能であることを特徴とする請求項１４に記載の日除け。
【考案の詳細な説明】
【技術分野】
【０００１】
本考案は、日除けに関するものである。
【背景技術】
【０００２】
従来より、市販している各種の日除け（例えば巻上げブラインドやシャッターなど）は、窓などに設置され、これにより、陽光が遮蔽できるとともに、窓などを装飾する目的を達成することができるようになっている。そして日除け本体を開閉するために、一般的には日除けの両側には、操作用ロープを巻き付けるロープ巻付ローラが多数設けられている。
【考案の開示】
【考案が解決しようとする課題】
【０００３】
しかしながら、従来の日除けは、前記操作用ロープ巻付ローラが上レールの内部のガイド溝に設けられており、多数組の操作用ロープが前記ロープ巻付ローラに巻付けられている。また、多数組の引きロープの前記ロープ巻付ローラへの巻付方式は複雑で規則性が無いため、日除け本体の開閉を効率よく制御することができないという欠点があった。
【０００４】
本考案の主な目的は、ロープ収容装置とチェーン装置とを連動させる伝動ユニットを利用することにより、長丈の日除けの開閉及び日除けを巻取る場合でも、制御が更に向上する日除けを提供することにある。
【課題を解決するための手段】
【０００５】
本考案の請求項１に記載の日除けによると、上レール１０と、下レール２０と、日除け本体３０と、ロープ収容装置４０と、チェーン装置５０と、を含み、前記上レール１０は、中空でレール形状を呈し、その両端に開口１１、１２がそれぞれ形成され、底端には、第一係止穴１４と、第二係止穴１５と、溝１６と、がそれぞれ設けられており、前記下レール２０は、ガイド溝２１を有し、前記上レール１０と一定の距離だけ離間可能に、前記上レール１０の下方に設けられており、前記日除け本体３０は、前記上レール１０と前記下レール２０との間に設けられて、日除け部材３１を有し、前記日除け部材３１は、上下端に第一嵌合片３２と第二嵌合片３３とがそれぞれ形成されており、前記第一嵌合片３２は前記上レール１０の前記溝１６に嵌め込まれ、前記第二嵌合片３３は前記下レール２０の前記ガイド溝２１に嵌め込まれることにより、前記上レール１０と前記下レール２０が連結されており、前記ロープ収容装置４０は、前記上レール１０の内部に設けられて、互いに嵌合可能なケース４１及び蓋４２と、前記ケース４１の内部に設けられている環状突起体４３と、前記環状突起体４３の周面に収容されるロープ４４と、を含み、伝動軸４５によって両側が挿通されており、前記ロープ４４の一端には前記環状突起体４３に固定される係止部４４１が設けられ、底端には、前記ロープ４４が挿通するロープ貫入穴４１５が開設されており、前記第一係止穴１４と前記第二係止穴１５とに係止可能な弾性係り体４１４が延びており、該二つの前記弾性係り体４１４の間に前記ロープ貫入穴４１５が位置しており、前記チェーン装置５０は、前記上レール１０の他側の前記開口１２に嵌合されており、互いに嵌合可能な第一ケース５１及び第二ケース５２と、前記第一ケース５１及び前記第二ケース５２の内部に枢着されている伝動ユニット５３と、を含み、前記伝動ユニット５３は、少なくとも、リング５３１と、前記リング５３１の内面の下半部に嵌合されており両端に互いに対応している第一凸部５４１及び第二凸部５４２がそれぞれ形成されている弾性子５４と、前記リング５３１の内面の上半部に嵌合されており前記弾性子５４の上に設けられている嵌合体５５と、一端が前記第一ケース５１の枢着体５７と嵌合している移動体５６と、前記第一ケース５１に嵌合されている前記枢着体５７と、前記伝動ユニット５３を駆動するチェーン５８と、前記第二ケース５２内に嵌合されており前記チェーン５８が巻き付けられている回転体５９と、を有することを特徴とする日除けである。
【０００６】
本考案の請求項２に記載の日除けによると、前記日除け部材３１は、巻上げブラインドの日除け本体でもいいし、それ以外の何れかの日除け本体でもよいことを特徴とする日除けである。
【０００７】
本考案の請求項３に記載の日除けによると、前記第一嵌合片３２と、前記第二嵌合片３３と、前記日除け本体３０とには、前記上レール１０の前記第一係止穴１４及び前記第二係止穴１５に対応している貫通孔３２１、３３１、３１１がそれぞれ開設されていることを特徴とする日除けである。
【０００８】
本考案の請求項４に記載の日除けによると、前記ケース４１の一側には収容空間４１０が形成されており、前記収容空間４１０は、底端面に第一貫通孔４１１が開設されており、内縁部分に嵌合溝４１２が開設されており、各隅に係止穴４１３がそれぞれ開設されていることを特徴とする日除けである。
【０００９】
本考案の請求項５に記載の日除けによると、前記蓋４２は、内縁部分に係止ブロック４２１が設けられており、各隅にピン４２２がそれぞれ設けられており、端面に第二貫通孔４２３が開設されていることを特徴とする日除けである。
【００１０】
本考案の請求項６に記載の日除けによると、環状突起体４３は、前記ケース４１の内部に設けられており、内側コラム４３１と外側コラム４３２とから構成され、前記内側コラム４３１の中央には枢着穴４３１１が開設されており、前記外側コラム４３２の外周面には係止溝４３２１が設けられていることを特徴とする日除けである。
【００１１】
本考案の請求項７に記載の日除けによると、前記上レール１０の内部の一側にあるロープ収容装置４０の両面は、軸穴４６１が開設された固定ブロック４６によって伝動軸４５に位置決められていることを特徴とする日除けである。
【００１２】
本考案の請求項８に記載の日除けによると、前記第一ケース５１の一側の内縁部分には、嵌合突起５１１と、貫通孔５１２と、が設けられており、且つ収容空間５１３及び嵌め穴５１３１が設けられているコラム部５１４が延びており、前記第一ケース５１の他側の内縁部分には、嵌合溝５１６の嵌合突起５１５が環設されていることを特徴とする日除けである。
【００１３】
本考案の請求項９に記載の日除けによると、前記第二ケース５２の一側には収容部５２１が設けられており、前記収容部５２１の内部には、突起５２２と、リブ５２３と、が設けられており、前記収容部５２１には連接体５２４が設けられていることを特徴とする日除けである。
【００１４】
本考案の請求項１０に記載の日除けによると、前記第二ケース５２の前記収容部５２１には、ガイド溝５２０ａが斜めに設けられていることを特徴とする日除けである。
【００１５】
本考案の請求項１１に記載の日除けによると、前記移動体５６の一端にはロッド形状突起５６１が設けられており、前記ロッド形状突起５６１は、内部に第一軸穴５６２が開設されており、末端に円弧形状突起５６３が延びており、前記円弧形状突起５６３の両端には平面５６４がそれぞれ形成されていることを特徴とする日除けである。
【００１６】
本考案の請求項１２に記載の日除けによると、前記枢着体５７の一側面には、環状突起５７１と、円弧形状突起５７２と、が設けられており、前記円弧形状突起５７２の他側面には第二軸穴５７３が開設されていることを特徴とする日除けである。
【００１７】
本考案の請求項１３に記載の日除けによると、前記回転体５９は、周縁に切欠５９１が複数設けられており、一側に方形ピン５９２が延びており、他側に凹部５９３が設けられていることを特徴とする日除けである。
【００１８】
本考案の請求項１４に記載の日除けによると、前記チェーン装置６０には、第一ケース６１及び第二ケース６２の一側に設けられた伝動組６３の側辺に枢着されているギアユニット６４が組み付けられていることを特徴とする日除けである。
【００１９】
本考案の請求項１５に記載の日除けによると、ギアユニット６４は、互いに噛み合っている、第一ギア６４１と、複数の第二ギア６４２と、を有し、前記複数の第二ギア６４２は、前記第一ケース６１の一側に設けられた連接部６５の条状突起付き穴６５１と同期して回転可能であることを特徴とする日除けである。
【考案の効果】
【００２０】
本考案の日除けによれば、次のような効果がある。
（１）日除け本体を巻き取る場合には、チェーン装置のチェーンによって伝動ユニットを駆動させると、ロープ収容装置がチェーン装置と同期して連動するので、ロープ収容装置の日除け本体を巻取るためにチェーン装置に加わる負荷を低減することができる。
（２）巻き取られた日除け本体を下方へ展開する場合には、日除け本体自体の重量により、日除け本体が展開されるため、チェーン装置に加わる負荷を低減することができる。
（３）このように本考案の日除けによれば、その日除け本体の開閉操作によって加わるチェーン装置への負荷を低減できるので、開閉の操作性が向上しまた制御しやすく、日除け本体が長丈の場合には特に好適である。
【考案を実施するための最良の形態】
【００２１】
以下、本考案の実施の形態を図面に基づいて説明する。
まず、図１及び図２を参照して第１実施形態について説明する。本考案に係る日除けは、上レール１０と、下レール２０と、日除け本体３０と、ロープ収容装置４０と、チェーン装置５０と、を含む。
【００２２】
上レール１０は、例えば中空のレール形状を呈し、その長手方向の両端に開口１１、１２がそれぞれ形成されており、開口１１に固定部材１３が嵌合されている。また、その底部には、第一係止穴１４と、第二係止穴１５と、溝１６と、がそれぞれ設けられている。
下レール２０は、上レール１０と一定の距離だけ離間可能なように、上レール１０の下方に設けられており、ガイド溝２１を有し、例えば中空のレール形状を呈するものとする。その長手方向の両端には開口２２、２３がそれぞれ形成されており、開口２２、２３には、ガイド溝２１に対応している嵌合ブロック２４が嵌合されている。
【００２３】
日除け本体３０は、上レール１０と下レール２０との間に設けられており、単一片又は複数片からなる日除け部材３１を有する。日除け部材３１は、巻上げブラインドの日除け本体であってもよいし、シェードの日除け本体であってもよく、それ以外の何れかの日除け本体でもよい。日除け部材３１は、上端側に第一嵌合片３２、下端側に第二嵌合片３３がそれぞれ形成されており、第一嵌合片３２は上レール１０の溝１６に嵌め込まれ、第二嵌合片３３は下レール２０のガイド溝２１に嵌め込まれている。これにより、上レール１０と下レール２０が連接される。第一嵌合片３２と、第二嵌合片３３と、日除け本体３０とには、上レール１０の第一係止穴１４及び第二係止穴１５に対応している貫通孔３１１、３２１、３３１がそれぞれ開設されている。
【００２４】
次に、図３及び図６を参照して説明する。ロープ収容装置４０は、互いに嵌合可能なケース４１及び蓋４２と、ケース４１の内部に設けられている環状突起体４３と、環状突起体４３の周面に巻付けて収容されるロープ４４と、を含み、上レール１０の内部に設けられている。また、伝動軸４５によってロープ収容装置４０の両側中心部が挿通されており、ロープ４４の一端には環状突起体４３に固定するための係止部４４１が設けられている。ロープ収容装置４０の底端には、ロープ４４が挿通するロープ貫入穴４１５が開設されており、かつ、第一係止穴１４と第二係止穴１５とに係止可能な弾性係り体４１４が延びており、二つの弾性係り体４１４の間にロープ貫入穴４１５が位置している。
【００２５】
ケース４１の一側には収容空間４１０が形成されており、収容空間４１０は、底端面に第一貫通孔４１１が開設され、内縁部分に嵌合溝４１２が開設されて、各隅に係止穴４１３がそれぞれ開設されている。ロープ収容装置４０の底端には、ロープ４４が挿通するロープ貫入穴４１５が開設されており、かつ、第一係止穴１４と第二係止穴１５とに係止可能な弾性係り体４１４が延びており、二つの弾性係り体４１４の間にロープ貫入穴４１５が位置している。蓋４２は、形状がケース４１の形状と対応しており、ケース４１と嵌合することによってケース４１の収容空間をカバーする。蓋４２の内縁部分にはケース４１の嵌合溝４１２と嵌合可能な係止ブロック４２１が設けられており、各隅には係止穴４１３と嵌合可能なピン４２２がそれぞれ設けられており、その端面には第一貫通孔４１１に対応している第二貫通孔４２３が開設されている。環状突起体４３は、ケース４１の収容空間４１０の内部に設けられており、内側コラム４３１と外側コラム４３２とから構成され、内側コラム４３１の中央には、ケース４１の第一貫通孔４１１及び蓋４２の第二貫通孔４２３に対応している枢着穴４３１１が開設されており、外側コラム４３２の外周面には係止溝４３２１が設けられている。係止溝４３２１にはロープ４４の一端部に設けられた係止部４４１が係止される。ロープ４４は、外側コラム４３２の外周面に巻付けられ、第一嵌合片３２、日除け本体３０、第二嵌合片３３の貫通孔３１１、３２１、３３１を挿通して、第二嵌合片３３の底部に連結されている。
【００２６】
図１に示すように、上レール１０の内部の一側に設けられたロープ収容装置４０の両面は、軸穴４６１が開設された固定ブロック４６ごと伝動軸４５によって貫入されている。固定ブロック４６には軸穴４６１に貫通している内ねじ穴４６２が開設されており、内ねじ穴４６２にネジなどの固定子４６３をねじ込むと、ロープ収容装置４０の両端が固定ブロック４６に固定され、位置決めされるようになっている。
【００２７】
図１、図４及び図５に示すように、チェーン装置５０は、互いに嵌合可能な第一ケース５１及び第二ケース５２と、第一ケース５１及び第二ケース５２の内部に枢着されている伝動ユニット５３と、を含み、上レール１０の他側の開口１２に嵌合されている。
第一ケース５１の一側の内縁部分には、嵌合突起５１１と、貫通孔５１２と、が設けられており、嵌合突起５１１は上レール１０の他側の開口１２に嵌め込まれている。収容空間５１３及び嵌め穴５１３１が設けられているコラム部５１４が延びており、第一ケース５１の他側の内縁部分には、嵌合溝５１６の嵌合突起５１５が設けられている。
第二ケース５２は、外形形状が第一ケース５１の形状と略同じであり、一側面が第一ケース５１をカバーする収容部５２１に形成されており、収容部５２１の内部には、貫通孔５１２に対応している突起５２２と、嵌合溝５１６を有する嵌合突起５１５に対応しているリブ５２３と、が設けられており、収容部５２１には、収容空間５１３に対応している連接体５２４が設けられている。
【００２８】
伝動ユニット５３は、少なくとも、リング５３１と、弾性子５４と、嵌合体５５と、移動体５６と、枢着体５７と、チェーン５８と、回転体５９と、を含む。
リング５３１は、金属材料で作製されたものであり、コラム部５１４の収容空間の内周面に嵌め込まれている。
弾性子５４は、リング５３１の内面の下半部に嵌合されており、両端に互いに対応している第一凸部５４１及び第二凸部５４２がそれぞれ形成されている。
嵌合体５５は、リング５３１の内面の上半部に嵌合されており、弾性子５４の上に設けられている。
【００２９】
移動体５６は、一端には第一ケース５１の枢着体５７と嵌合しているロッド形状突起５６１が形成されている。ロッド形状突起５６１の内部には伝動軸４５の他端と嵌合している第一軸穴５６２が形成されており、ロッド形状突起５６１の末端には円弧形状突起５６３が延びており、円弧形状突起５６３の両端はそれぞれ平面部５６４に形成されており、平面部５６４により弾性子５４の第一凸部５４１及び第二凸部５４２が係止される。
枢着体５７の一側面には、環状突起５７１と、円弧形状突起５７２と、が設けられており、環状突起５７１は第一ケース５１の収容空間５１３と嵌合しており、円弧形状突起５７２は、嵌合体５５に貫入されており、円弧形状突起５６３に対応しており、円弧形状突起５７２の他側面には第二軸穴５７３が開設されている。
【００３０】
チェーン５８は、等間隔に配置されるようにして多数の玉５８１を連結して構成されるものである。
回転体５９は、周縁にチェーン５８の各玉５８１と噛み合わせ可能な切欠５９１が複数設けられており、第二ケース５２の収容部５２１内に設けられている。一側には円弧形状突起５７２の第二軸穴５７３と嵌合している方形ピン５９２が延びており、他側には凹部５９３が設けられており、凹部５９３には第二ケース５２の連接体５２４が嵌合されている。
【００３１】
次に、本考案の使用状態を説明する。本考案に係る日除けの日除け本体３０を展開しようとする場合、図１において反時計回りにチェーン装置５０のチェーン５８を手で引くことにより、チェーン５８の各玉５８１が回転体５９（図４参照）の各切欠５９１に順次出入りし、伝動ユニット５３の回転体５９が反時計回りに回転する。このとき、伝動軸４５により両側のロープ収容装置４０、ロープ収容装置４０に収容されているロープ４４が繰り出されて、図６に示すように、日除け本体３０が展開される。逆に、図１において時計回りにチェーン装置５０のチェーン５８を手で引くと、チェーン５８の各玉５８１が回転体５９（図４参照）の各切欠５９１に順次出入りし、伝動ユニット５３の回動体５９が時計回りに回転して、伝動軸４５により両側のロープ引き装置４０によってロープ４４が巻き取られて収容され、日除け本体３０が閉じるようになる。
【００３２】
次に、本考案の第２実施形態について、図７及び図８を参照して説明する。図７及び図８は、本考案の第２実施形態に係る日除けのチェーン装置５０ａである。チェーン装置５０ａの第二ケース５２ａの収容部５２１ａにおいては、第一ケース５１ａの傾斜嵌合体５１０ａと嵌合しているガイド溝５２０ａが斜めに設けられている。これにより、チェーン５８の各玉５８１がガイド溝５２０ａにガイドされチェーン装置５０ａの前面に位置するようになり、ユーザはチェーン５８を容易に引き動かすことができる。
【００３３】
本考案を、より長丈や重量のある日除け本体を有する日除けに適用する場合には、本考案の第３実施形態として、図９及び図１０に示すチェーン装置６０を備えるようにするのが好適である。チェーン装置６０は、第一ケース６１及び第二ケース６２の一側に設けられた伝動ユニット６３及び側辺に枢着されているギアユニット６４が組み付けられる。ギアユニット６４は、互いに噛み合う、第一ギア６４１と、複数の第二ギア６４２と、を有し、複数の第二ギア６４２は、第一ケース６１の一側に設けられた連接部６５の条状突起付き穴６５１と同期して回転することができる。これにより、より長くて重い日除け本体を用いた日除けであっても、チェーン装置６０の補助により、二つのロープ収容装置（図示せず）による日除け本体の開閉によって伝動ユニット６３に加わる負荷が低減される。
【図面の簡単な説明】
【００３４】
【図１】本考案の第１実施形態に係る日除けの分解斜視図である。
【図２】本考案の第１実施形態に係る日除けの組合せ状態を示す斜視図である。
【図３】本考案の第１実施形態に係る日除けのロープ収容装置の分解斜視図である。
【図４】本考案に係るチェーン装置の分解斜視図である。
【図５】本考案に係るチェーン装置の伝動を示す側面図である。
【図６】本考案に係る日除け本体を展開しロープ引き装置のロープを繰り出している状態を示す右側面図である。
【図７】本考案の第２実施形態に係る日除けのチェーン装置の分解斜視図である。
【図８】図７におけるチェーン装置のレイアウトを示す側面図である。
【図９】本考案の第３実施形態に係る日除けのチェーン装置の分解斜視図である。
【図１０】図９におけるチェーン装置の伝動を示す側面図である。
【符号の説明】
【００３５】
１０        上レール
１１、１２  開口
１３        固定部材
１４        第一係止穴
１５        第二係止穴
１６        溝
２０        下レール
２１        ガイド溝
２２、２３  開口
２４        嵌合ブロック
３０        日除け本体
３１        日除け部材
３２        第一嵌合片
３３        第二嵌合片
４０        ロープ収容装置
４１        ケース
４２        蓋
４３        環状突起体
４４        ロープ
４５        伝動軸
４６        固定ブロック
５０        チェーン装置
５１        第一ケース
５２        第二ケース
５３        伝動ユニット
５４        弾性子
５５        嵌合体
５６        移動体
５７        枢着体
５８        チェーン
５９        回転体
６０        チェーン装置
６１        第一ケース
６２        第二ケース
６３        伝動ユニット
６４        ギアユニット
６５        連接部
３１１、３２１、３３１  貫通孔
４１０      収容空間
４１１      第一貫通孔
４１２      嵌合溝
４１３      係止穴
４１４      弾性係り体
４１５      ロープ貫入穴
４２１      係止ブロック
４２２      ピン
４２３      第二貫通孔
４３１      内側コラム
４３２      外側コラム
４４１      係止部
４６１      軸穴
５１１      嵌合突起
５１２      貫通孔
５１３      収容空間
５１４      コラム部
５１５      嵌合突起
５１６      嵌合溝
５２０ａ    ガイド溝
５２１      収容部
５２２      突起
５２３      リブ
５２４      連接体
５３１      リング
５４１      第一凸部
５４２      第二凸部
５６１      ロッド形状突起
５６２      軸穴
５６３      円弧形状突起
５６４      平面部
５７１      環状突起
５７２      円弧形状突起
５７３      第二軸穴
５９１      切欠
５９２      方形ピン
５９３      凹部
６４１      第一ギア
６４２      第二ギア
６５１      条状突起付き穴
４３１１    枢着穴
４３２１    係止溝
５１３１    嵌め穴
【図１】
0003143950.tif 000003
【図２】
0003143950.tif 000004
【図３】
0003143950.tif 000005
【図４】
0003143950.tif 000006
【図５】
0003143950.tif 000007
【図６】
0003143950.tif 000008
【図７】
0003143950.tif 000009
【図８】
0003143950.tif 000010
【図９】
0003143950.tif 000011
【図１０】
0003143950.tif 000012